【手続補正書】
【提出日】平成24年8月7日(2012.8.7)
【手続補正１】
【補正対象書類名】明細書
【補正対象項目名】００３０
【補正方法】変更
【補正の内容】
【００３０】
【図１】本発明の第１実施例による対称格子型炉心用のＭＯＸ燃料集合体の組の燃料配列であって、中央部に燃料棒９本分の水管配置領域を有する場合を示す設計図であり、（ａ）は該組を構成する一方の第１のＭＯＸ燃料集合体の９×９配列、（ｂ）は該組を構成する他方の第２のＭＯＸ燃料集合体の９×９配列である。
【図２】図１の第１と第２のＭＯＸ燃料集合体の無限増倍率の推移を示す線図である。
【図３】図１の第１と第２のＭＯＸ燃料集合体の局所出力ピーキングの推移を示す線図である。
【図４】図１の各ＭＯＸ燃料集合体において、最高富化度Ｐ１と次に高い富化度Ｐ２との比Ｐ１／Ｐ２に対する局所出力ピーキングを示す線図であり、（ａ）は第１の燃料集合体、（ｂ）は第２の燃料集合体に関する線図である。
【図５】本発明の第２実施例による対称格子型炉心用のＭＯＸ燃料集合体の組の燃料配列であって、中央部に燃料棒４本分の水管配置領域を有する場合を示す設計図であり、（ａ）は該組を構成する一方の第１のＭＯＸ燃料集合体の８×８配列、（ｂ）は該組を構成する他方の第２のＭＯＸ燃料集合体の８×８配列である。
【図６】図５の各ＭＯＸ燃料集合体において、最高富化度Ｐ１と次に高い富化度Ｐ２との比Ｐ１／Ｐ２に対する局所出力ピーキングを示す線図であり、（ａ）は第１の燃料集合体、（ｂ）は第２の燃料集合体に関する線図である。
【図７】本発明の第３実施例による対称格子型炉心用のＭＯＸ燃料集合体の組の燃料配列であって、中央部に燃料棒７本分の水管配置領域を有する場合を示す設計図であり、（ａ）は該組を構成する一方の第１のＭＯＸ燃料集合体の９×９配列、（ｂ）は該組を構成する他方の第２のＭＯＸ燃料集合体の９×９配列である。
【図８】図７の各ＭＯＸ燃料集合体において、最高富化度Ｐ１と次に高い富化度Ｐ２との比Ｐ１／Ｐ２に対する局所出力ピーキングを示す線図であり、（ａ）は第１の燃料集合体、（ｂ）は第２の燃料集合体に関する線図である。
【図９】本発明の第４実施例による非対称格子型炉心用の第２のＭＯＸ燃料集合体の９×９燃料配列であって、中央部から反制御棒側に一列ずれた位置に燃料棒９本分の水管配置領域を有する場合を示す設計図である。
【手続補正２】
【補正対象書類名】明細書
【補正対象項目名】００４１
【補正方法】変更
【補正の内容】
【００４１】
また、第１のＭＯＸ燃料集合体と第２のＭＯＸ燃料集合体をそれぞれ異なる対称格子型炉心の各々に装荷させる場合、第１のＭＯＸ燃料集合体は、その特徴から低い余剰反応度抑制効果により炉心の反応度を高めるという効果が期待でき、第２のＭＯＸ燃料集合体は高い余剰反応度抑制効果により炉心の過大な反応度を抑制するという効果が期待でき、この場合、燃料集合体の組の特徴であるプルトニウム富化度が同一であるため、この組の製造においては著しい効率向上効果が期待できる。
【手続補正３】
【補正対象書類名】明細書
【補正対象項目名】００５１
【補正方法】変更
【補正の内容】
【００５１】
このような第１と第２のＭＯＸ燃料集合体の組に関し、各燃料集合体の断面における無限増倍率の推移を図２の線図に示す。この図２から、第１と第２のＭＯＸ燃料集合体の無限増倍率は、燃焼初期に差異があり、可燃性毒物が消滅した後は一致することがわかる。即ち、本実施例における第１と第２のＭＯＸ燃料集合体は、従来のウラン２ストリーム燃料集合体ペアと同様の傾向を持つものと言える。
【手続補正４】
【補正対象書類名】明細書
【補正対象項目名】００５２
【補正方法】変更
【補正の内容】
【００５２】
次に、本実施例の第１と第２のＭＯＸ燃料集合体の組における局所出力ピーキングの推移を図３の線図に示す。本実施例では、前記Ｐ１／Ｐ２＝１．２１としたものであるが、図３には、本実施例の第１と第２のＭＯＸ燃料集合体と局所出力ピーキングと、集合体平均富化度を変えずにＰ１／Ｐ２＝１．４１としたＭＯＸ燃料集合体の組についてもその局所出力ピーキングの推移を併せて示した。図３に示されるように、本実施例による第１と第２のＭＯＸ燃料集合体の組（Ｐ１／Ｐ２＝１．２１）では、Ｐ１／Ｐ２＝１．４１としたＭＯＸ燃料集合体ペアに比べて燃焼中期以降の局所出力ピーキングが良好に抑えられていることがわかる。
【手続補正５】
【補正対象書類名】明細書
【補正対象項目名】００５３
【補正方法】変更
【補正の内容】
【００５３】
次に、燃焼中期におけるＰ１／Ｐ２に対する第１と第２のＭＯＸ燃料集合体の局所出力ピーキングをそれぞれ図４（ａ）、（ｂ）の線図に示す。この図４から、燃料集合体の種類や燃焼度によって局所出力ピーキングが変化することがわかるが、いずれにおいても、Ｐ１／Ｐ２が１．１〜１．３の範囲にある場合に極小値となっていることがわかる。従って、ＭＯＸ燃料集合体の組において、特に燃焼中期以降の局所ピーキングを良好に抑制するためには、Ｐ１／Ｐ２を１．１以上、１．３以下の範囲に設定することが望ましいことが明らかとなった。
【手続補正６】
【補正対象書類名】明細書
【補正対象項目名】００５５
【補正方法】変更
【補正の内容】
【００５５】
本実施例における第１と第２のＭＯＸ燃料集合体は、互いに、プルトニウム富化度に関してそれぞれ同一種類のタイプ１〜４の４種類（富化度の高い順からＰ１，Ｐ２，Ｐ３，Ｐ４）のＭＯＸ燃料棒を同一本数ずつ有すると共に、可燃性毒物入りウラン燃料棒Ｇ１を同一本数ずつ有しするものとした２ストリーム用のＭＯＸ燃料集合体ペアである。
【手続補正７】
【補正対象書類名】明細書
【補正対象項目名】００５９
【補正方法】変更
【補正の内容】
【００５９】
このような第１と第２のＭＯＸ燃料集合体の組に関し、燃焼中期におけるＰ１／Ｐ２に対する第１と第２のＭＯＸ燃料集合体の局所出力ピーキングをそれぞれ図６（ａ）、（ｂ）の線図に示す。この図６から、燃料集合体の種類や燃焼度によって局所出力ピーキングが変化することがわかるが、いずれにおいても、Ｐ１／Ｐ２が１．１〜１．３の範囲にある場合に極小値となっていることがわかる。従って、ＭＯＸ燃料集合体の組において、特に燃焼中期以降の局所ピーキングを良好に抑制するためには、Ｐ１／Ｐ２を１．１以上、１．３以下の範囲に設定することが望ましいことが本実施例においても明らかとなった。
【手続補正８】
【補正対象書類名】明細書
【補正対象項目名】００６５
【補正方法】変更
【補正の内容】
【００６５】
このような第１と第２のＭＯＸ燃料集合体の組に関し、燃焼中期におけるＰ１／Ｐ２に対する第１と第２のＭＯＸ燃料集合体の軸方向下部及び上部の局所出力ピーキングをそれぞれ図８（ａ）、（ｂ）の線図に示す。この図８から、燃料集合体の種類や燃焼度によって局所出力ピーキングが変化することがわかる。第１のＭＯＸ燃料集合体上部の３０ＧＷｄ／ｔの推移において，Ｐ１／Ｐ２＝１．０と１．１のときにほぼ同程度の最小値を示しているが，いずれにおいても、Ｐ１／Ｐ２が１．１〜１．３の範囲にある場合に極小値となっていることがわかる。従って、ＭＯＸ燃料集合体の組において、特に燃焼中期以降の局所ピーキングを良好に抑制するためには、Ｐ１／Ｐ２を１．１以上、１．３以下の範囲に設定することが望ましいことが本実施例においても明らかとなった。
【手続補正９】
【補正対象書類名】明細書
【補正対象項目名】００６７
【補正方法】変更
【補正の内容】
【００６７】
本実施例における第１と第２のＭＯＸ燃料集合体は、互いに、プルトニウム富化度に関してそれぞれ同一種類のタイプ１〜４の４種類（富化度の高い順からＰ１，Ｐ２，Ｐ３，Ｐ４）のＭＯＸ燃料棒を同一本数ずつ有すると共に、ウラン燃料棒を同一本数ずつ有するものとしたＭＯＸ燃料集合体の組である。
【手続補正１０】
【補正対象書類名】図面
【補正対象項目名】図２
【補正方法】変更
【補正の内容】
【図２】
2012008083.tif 000001
【手続補正１１】
【補正対象書類名】図面
【補正対象項目名】図３
【補正方法】変更
【補正の内容】
【図３】
2012008083.tif 000002
【手続補正１２】
【補正対象書類名】図面
【補正対象項目名】図４
【補正方法】変更
【補正の内容】
【図４】
2012008083.tif 000003
【手続補正１３】
【補正対象書類名】図面
【補正対象項目名】図６
【補正方法】変更
【補正の内容】
【図６】
2012008083.tif 000004
【手続補正１４】
【補正対象書類名】図面
【補正対象項目名】図８
【補正方法】変更
【補正の内容】
【図８】
2012008083.tif 000005